(57)【要約】  カラーセンサ（１）は、特定色検出領域と、赤外検出領域（Ｄ（ＩＲ））とを備え、上記特定色検出領域は、第１の特定色フィルタ（ＣＦ（Ｒ）、ＣＦ（Ｇ）、ＣＦ（Ｂ））と、当該光から赤外成分をカットする赤外カットフィルタ（ＩＲＣｕｔＦ）と、受光素子部（ＰＤＳ）とを備え、赤外検出領域（Ｄ（ＩＲ））は、青色フィルタ（ＣＦ（Ｂ））と、赤外カットフィルタ（ＩＲＣｕｔＦ）と、受光素子部（ＰＤＳ）とを備える。
2014041866.tif 000002
【特許請求の範囲】
【請求項１】
可視光のうち特定色の光に感度を有する特定色検出領域と、
赤外光に感度を有する赤外検出領域とを備え、
上記特定色検出領域は、
第１の特定色の光を透過する第１の特定色フィルタと、
当該光から赤外成分をカットする赤外カットフィルタと、
上記第１の特定色フィルタおよび上記赤外カットフィルタを透過した光を受光する第１の受光素子部とを備え、
上記赤外検出領域は、
第２の特定色の光を透過する第２の特定色フィルタと、
上記赤外カットフィルタと、
上記第２の特定色フィルタおよび上記赤外カットフィルタを透過した光を受光する第２の受光素子部とを備え、
上記第２の受光素子部の出力信号に応じて上記第１の受光素子部の出力信号から赤外成分を減算することを特徴とするセンサ。
【請求項２】
上記第２の特定色は、青色であることを特徴とする請求項１に記載のセンサ。
【請求項３】
上記第１の特定色は、赤色、緑色、または青色であることを特徴とする請求項１または２に記載のセンサ。
【請求項４】
外部から光が照射される方向に対して順に、上記特定色フィルタと、上記赤外カットフィルタと、上記受光素子部とが配されていることを特徴とする請求項１〜３のいずれか１項に記載のセンサ。
【請求項５】
各受光素子部は、
可視光領域に感度のピークを有する可視光受光素子と、
赤外光領域に感度のピークを有する赤外光受光素子とを備え、
上記第１の受光素子部では、上記可視光受光素子のカソードと上記赤外光受光素子のカソードとが接続されており、
上記第２の受光素子部では、上記可視光受光素子のカソードとアノードとが短絡されていることを特徴とする請求項１〜４のいずれか１項に記載のセンサ。
【請求項６】
特定色が互いに異なる３個の上記特定色検出領域と、上記赤外検出領域との組を４ｎ個以上備え、
当該ｎは、自然数であり、
上記組において、各特定色検出領域および上記赤外検出領域は、互いに面積が等しく、
各組は、予め設定された受光中心点に対して点対称に配置されており、
同一の特定色の光に感度を有する上記特定色検出領域は、互いに隣接せず、
上記赤外検出領域は、互いに隣接しないことを特徴とする請求項１〜５のいずれか１項に記載のセンサ。
【請求項７】
上記特定色検出領域および上記赤外検出領域は、受光に応じた電流信号を出力し、
上記電流信号をデジタル信号にアナログ‐デジタル変換するアナログ‐デジタル変換回路と、
各デジタル信号の大きさに比例するデジタル値を保存する記憶回路部とをさらに備えることを特徴とする請求項１〜６のいずれか１項に記載のセンサ。
【請求項８】
上記記憶回路部は、
各デジタル値および補正マトリックスから三刺激値を演算する三刺激値演算手段と、
上記補正マトリックスを保存するメモリとを備えることを特徴とする請求項７に記載のセンサ。
【請求項９】
上記記憶回路部は、
上記三刺激値から色温度を演算する色温度演算手段と、
上記三刺激値から照度を演算する照度演算手段と、
上記三刺激値、上記色温度、または上記照度を選択し外部に送信する出力選択手段とをさらに備えることを特徴とする請求項８に記載のセンサ。
【請求項１０】
上記メモリは、基準時に取得した基準標本に対するデジタル値である基準値をさらに保存しており、
上記三刺激値演算手段は、
上記基準値と、基準時より後に取得した基準標本に対するデジタル値とを比較して自己診断することを特徴とする請求項８または９に記載のセンサ。
【請求項１１】
上記アナログ‐デジタル変換回路は、
上記電流信号に応じた電荷を蓄える積分コンデンサを備え、当該積分コンデンサが蓄える電荷量に対応する電圧を出力する積分回路と、
上記積分回路の出力電圧と基準電圧との互いの高低を比較して、その比較結果を２値のパルス信号として出力する比較回路と、
当該パルス信号をクロック信号に同期して取り込んでビットストリーム信号を出力するフリップフロップ、および、当該ビットストリーム信号のアクティブパルスを計数するカウンタを備え、当該カウンタによる計数結果を上記アナログ‐デジタル変換回路の出力値として出力する出力回路と、
上記ビットストリーム信号のアクティブパルス期間に電流を出力して上記積分コンデンサを放電させる放電回路とを備える積分型アナログ‐デジタル変換回路であることを特徴とする請求項７に記載のセンサ。
【請求項１２】
上記可視光受光素子および上記赤外光受光素子には、バイアス電圧が印加されないことを特徴とする請求項５に記載のセンサ。
【請求項１３】
画面を表示する表示パネルと、
上記表示パネルを照射するバックライトと、
上記バックライトを制御するバックライト制御部と、
請求項１〜１２のいずれか１項に記載のセンサとを備え、
上記バックライト制御部は、上記センサから出力される信号に基づいて、上記バックライトの色彩を制御することを特徴とする表示装置。
【請求項１４】
上記センサは、上記特定色検出領域の出力信号および上記赤外検出領域の出力信号に基づいて照度情報を出力し、
上記バックライト制御部は、上記照度情報に基づいて上記バックライトの輝度を制御することを特徴とする請求項１３に記載の表示装置。
【請求項１５】
コンピュータを請求項８〜１０のいずれか１項に記載の記憶回路部が備える各手段として機能させるための制御プログラム。
【請求項１６】
請求項１５に記載の制御プログラムを記録したコンピュータ読み取り可能な記録媒体。
【発明の詳細な説明】
【技術分野】
【０００１】
本発明は、光の色成分を検出するカラーセンサ、および、このカラーセンサを備えた表示装置に関するものである。
【背景技術】
【０００２】
人の目は部屋の照明の色温度が異なっても、色の変化をあまり感じないようになっており、一般的にこの特性は色順応と呼ばれている。例えば、青っぽい（色温度が高い）蛍光灯照明の部屋から、黄色っぽい（色温度が低い）白熱灯照明の部屋に入ると、部屋の白い壁が最初は黄色っぽく見える。しかし、しばらく経つと黄色っぽく見えていた壁が白く見えるようになる。また、逆に黄色っぽい白熱灯照明の部屋から、青っぽい蛍光灯照明の部屋に入った場合、白い壁が青っぽく見える。しかし、しばらくすると青っぽい壁が、白く見えてくる。【０００３】
このように人間の視覚に色順応という特性があるために、部屋の照明の色が異なると、テレビの画像の色が同じでも、その画像は異なった色に見えることになる。よって、画像の色味を一定に見えるようにするためには、部屋の照明の色温度により、画像の色味を変化させる必要がある。近年、液晶テレビの高画質化に伴い、部屋の照明の種類によって画像の色味を変えることにより、部屋の照明の色温度が変化しても、自然な画像に見えるようにする機能に対する要望が高まってきている。部屋の色温度を検出して、目の色順応に対応するように画像の色味をコントロールすることができれば、照明光の色が変化しても、映像が自然に見えるようにすることができる。【０００４】
一般的な液晶テレビでは、マニュアル操作により照明の種類を初期設定で入力し、その照明下で画像が最適な色味になるようにコントロールするように構成されている。大型液晶テレビのように、白熱灯や蛍光灯を照明とする部屋に固定設置して使用される液晶テレビでは、部屋の照明の色温度の変化が少ないため、前記のように、液晶テレビの設置時に一度だけ手動で照明の種類を設定すればよい。しかしながら、携帯電話やモバイルＰＣなどのように持ち運びが可能な機器に搭載される液晶画面の場合、周囲の照明が視聴場所によって刻々と変化する。また、近年のＬＥＤ照明のように照明の色温度を自由に変更できるような照明の部屋に設置されている液晶テレビについても、同様に照明の色温度が大幅に変化する。そのため、照明の種類をマニュアルで設定する従来の方法では、照明の色温度の変更のたびに照明の種類を再設定する必要があり、煩雑である。【０００５】
さらに、近年、携帯電話や液晶テレビなどのバックライトの明るさを周囲の明るさに応じて自動的に調光することにより、携帯電話のバッテリー消耗や液晶テレビの消費電力を抑える要望が高まっている。また、液晶画像の視認性を向上させるために、人の視感度特性に近い照度センサの需要が急増してきている。【０００６】
また、モバイルＰＣ用途においても、光センサを含めた多くのセンサを使用して、使用環境に適合した画像が表示できるようになってきている。電子Ｂｏｏｋなどにおいても、環境に適した最適な画像表示を行い、ディプレイの視認性を高める要望が、ますます高まると予想される。さらに、液晶バックライト自動調光用およびディスプレイの色味調整用のカラーセンサでは、デジタル化による高機能化や高精度化だけでなく、より使いやすく、低コストであるとともに、小型化の要望も強くなっている。【０００７】
特許文献１および２では、色情報を検出可能とする技術が提案されている。【０００８】
まず、特許文献１は、Ｎ型半導体基板上の厚さ方向に深さを相違させて二重拡散を形成し、浅い位置に形成された第１の受光素子（フォトダイオード）で可視光の特定色（赤色Ｒ、緑色Ｇ、青色Ｂ）を検出する領域を構成し、深い位置に形成した第２の受光素子で赤外光を検出する領域を構成している。赤外光を検出する受光素子の上部には、緑色Ｇまたは青色Ｂのフィルタが置かれる構成となっている。【０００９】
図１３は、特許文献２において提案されているカラーセンサ１００の要部構成を示す回路図である。図１３に示すように、カラーセンサ１００は、フォトダイオード上に、可視光を検出するための色検出領域Ｄ（Ｃ）と、赤外光を検出するための赤外検出領域Ｄ（ＩＲ）とを備えている。色検出領域Ｄ（Ｃ）は、赤色（Ｒ）、緑色（Ｇ）および青色（Ｂ）をそれぞれ検出するための、赤色検出領域Ｄ（Ｒ）、緑色検出領域Ｄ（Ｇ）および青色検出領域Ｄ（Ｂ）から構成されている。さらにカラーセンサ１００は、マルチプレクサＭＵＸと減算回路ＳＵＢとを備えている。【００１０】
ここで、赤外検出領域Ｄ（ＩＲ）から出力される赤外成分の信号情報をＳ（ＩＲ）とする。また、赤色検出領域Ｄ（Ｒ）において検出される真に赤色のみの信号情報をＳ（Ｒ）とし、赤色検出領域Ｄ（Ｒ）で検出される赤外成分の信号情報をＳ（ＩＲｒ）とする。同様に、緑色検出領域Ｄ（Ｇ）において検出される真に緑色のみの信号情報をＳ（Ｇ）とし、緑色検出領域Ｄ（Ｇ）で検出される赤外成分の信号情報をＳ（ＩＲｇ）とする。同様に、青色検出領域Ｄ（Ｂ）において検出される真に青色のみの信号情報をＳ（Ｂ）とし、青色検出領域Ｄ（Ｂ）で検出される赤外成分の信号情報をＳ（ＩＲｂ）とする。【００１１】
これにより、赤色検出領域Ｄ（Ｒ）から出力される信号は、Ｓ（Ｒ）＋Ｓ（ＩＲｒ）となる。以下同様に、緑色検出領域Ｄ（Ｇ）から出力される信号は、Ｓ（Ｇ）＋Ｓ（ＩＲｇ）となり、青色検出領域Ｄ（Ｂ）から出力される信号は、Ｓ（Ｂ）＋Ｓ（ＩＲｂ）となる。各色の検出領域からの出力信号は、マルチプレクサＭＵＸに入力され、いずれか１つの信号が選択されて減算回路ＳＵＢに入力される。【００１２】
減算回路ＳＵＢは、マルチプレクサＭＵＸの出力信号から、赤外検出領域Ｄ（ＩＲ）からの信号Ｓ（ＩＲ）を減算する。これにより、減算回路ＳＵＢからの出力信号を、赤外成分を含まない真の、赤色Ｓ（Ｒ）、緑色Ｓ（Ｇ）、青色Ｓ（Ｂ）の色情報とみなすことができるとしている。【００１３】
さて、表示装置の色味調整用のカラーセンサには、上述のように正確な色温度や照度を検出できる機能が求められている。【００１４】
ここで、一般的に、色温度や照度を算出するためには、Ｒ、Ｇ、およびＢで表す各色の出力信号をＸ、Ｙ、およびＺで表す三刺激値に変換する必要がある。【００１５】
【数１】
2014041866.tif 000003
【００１６】
上記のＣｘｘで記載されているのは各色の出力信号から三刺激値への変換用補正マトリックスである。当該補正マトリックスは、各種光源下での各色の出力信号に依存して定まり、例えば３種の異なる色温度をもつ光源を測定して逆行列を計算するか、３種以上の光源を測定し回帰計算から算出する方法で定めることができる。【００１７】
ここで、三刺激値は、一般的に赤外成分にも依存すると考えられるため、赤外領域からの信号（ＩＲ）を特定色検出領域の信号（Ｒ，Ｇ，Ｂ）から減算して算出すべきことが予想される。よって、上記（１）式は下記のように変更する必要がある。【００１８】
【数２】
2014041866.tif 000004
【００１９】
ここで、数式（２）におけるＣ１４、Ｃ２４、およびＣ３４は負の係数となると予想される。【００２０】
また、数式（２）よると、Ｙ値（照度値）は、下記の数式（３）により算出することができる。
Ｙ  ＝  Ｃ２１×Ｒ＋Ｃ２２×Ｇ＋Ｃ２３×Ｂ＋Ｃ２４×ＩＲ    …（３）
ここで、色検出領域の感度より赤外検出領域の感度が高くなる場合には、補正マトリックスのＣｘ４×ＩＲの項が大きくなる。このため、三刺激値を算出する際、減算項が大きくなるので、減算にともなう誤差が大きくなり、当該計算式を利用する方式によるカラーセンサでは、色温度や照度の出力精度が悪化する。【００２１】
つまり、表示装置の色味調整用のカラーセンサにおいて、正確な色温度や照度を算出するためには、赤外検出領域の感度を落とす必要がある。
【先行技術文献】
【特許文献】
【００２２】
【特許文献１】日本国公開特許公報「特開平９−２１０７９３号公報（１９９７年８月１５日公開）」
【特許文献２】日本国公開特許公報「特許第４０９８２３７号公報（２００３年３月２０日公開）」
【発明の概要】
【発明が解決しようとする課題】
【００２３】
しかしながら、特許文献１に記載の構成では、赤外カットフィルタを利用しない構成となっているため、Ｓｉフォトダイオードの特性上、特定色検出領域の出力信号より、赤外光検出信号が大きくなる。つまり、赤外検出領域の感度が大きくなる。このため、特許文献１に記載の構成には、正確な色温度や照度を算出できなくなるといった問題が存在する。【００２４】
また、特許文献２には、各色の検出領域（受光素子）の面積を増加させて、Ｓ（ＩＲｒ）、Ｓ（ＩＲｇ）、およびＳ（ＩＲｂ）の各信号を、赤外検出領域Ｄ（ＩＲ）からの信号Ｓ（ＩＲ）と等しくすることで、相対的に赤外検出領域の感度を落として、検出精度の低下を回避する構成が記載されている。しかしながら、Ｓ（ＩＲｒ）、Ｓ（ＩＲｇ）、およびＳ（ＩＲｂ）は、互いに異なっているため、対応する色検出領域の面積も互いに異なることになる。つまり、特許文献２では、色検出領域の面積を仔細に設計する必要があるため、構成が複雑になるといった問題が存在する。【００２５】
本発明は、上記の問題点を解決するためになされたもので、その目的は、簡単な構成で光の色成分を正確に検出し、正確な色温度や照度を算出可能なセンサを提供することにある。
【課題を解決するための手段】
【００２６】
上記課題を解決するために、本発明の一態様に係るセンサは、可視光のうち特定色の光に感度を有する特定色検出領域と、赤外光に感度を有する赤外検出領域とを備え、上記特定色検出領域は、第１の特定色の光を透過する第１の特定色フィルタと、当該光から赤外成分をカットする赤外カットフィルタと、上記第１の特定色フィルタおよび上記赤外カットフィルタを透過した光を受光する第１の受光素子部とを備え、上記赤外検出領域は、第２の特定色の光を透過する第２の特定色フィルタと、上記赤外カットフィルタと、上記第２の特定色フィルタおよび上記赤外カットフィルタを透過した光を受光する第２の受光素子部とを備え、上記第２の受光素子部の出力信号に応じて上記第１の受光素子部の出力信号から赤外成分を減算することを特徴としている。
【発明の効果】
【００２７】
以上のように、本発明の一態様によれば、簡単な構成で光の色成分を正確に検出し、正確な色温度や照度を算出可能なセンサを提供することができる効果を奏する。
【図面の簡単な説明】
【００２８】
【図１】本発明の第１の実施形態に係るカラーセンサの構成を示す模式図である。
【図２】特定色検出領域および赤外検出領域の一例を示す縦構造図である。
【図３】特定色検出領域および赤外検出領域の他の例を示す縦構造図である。
【図４】浅い接合のフォトダイオードおよび深い接合のフォトダイオードの分光感度特性の一例を示すグラフである。
【図５】一般的なカラーフィルタの分光感度特性を示すグラフである。
【図６】一般的な赤外カットフィルタの分光感度特性を示すグラフである。
【図７】赤色検出領域、緑色検出領域、青色検出領域、および赤外検出領域における分光感度特性を示すグラフである。
【図８】各色の検出領域の配置方法を示す上面図である。
【図９】アナログ‐デジタル変換回路ＡＤＣの構成を示す図である。
【図１０】アナログ‐デジタル変換回路ＡＤＣの動作を示す波形図である。
【図１１】本発明の第２の実施形態に係る表示装置の概略構成を示すブロック図である。
【図１２】本発明の第３の実施形態に係る記憶回路部の概略構成を示すブロック図である。
【図１３】特許文献２において提案されているカラーセンサ１００の要部構成を示す回路図である。
【発明を実施するための形態】
【００２９】
〔実施形態１〕
本発明の第１の実施形態について、図１〜図１０に基づいて詳細に説明すると以下の通りである。
【００３０】
なお、以下の説明では、同一の部材および構成要素には同一の符号を付している。それらの名称および機能も同じである。したがって、それらについての詳細な説明は繰り返さない。
【００３１】
（カラーセンサ１の構成）
図１は、本発明の第１の実施形態に係るカラーセンサ（センサ）１の構成を示す模式図である。図１に示すように、カラーセンサ１は、可視光を検出するための色検出領域Ｄ（Ｃ）と、赤外光を検出するための赤外検出領域Ｄ（ＩＲ）とを備えている。ここで、色検出領域Ｄ（Ｃ）は、赤色（Ｒ）を検出するための赤色検出領域（特定色検出領域）Ｄ（Ｒ）、緑色（Ｇ）を検出するための緑色検出領域（特定色検出領域）Ｄ（Ｇ）および青色（Ｂ）を検出するための青色検出領域（特定色検出領域）Ｄ（Ｂ）から構成されている。
【００３２】
ここで、赤色検出領域Ｄ（Ｒ）と、緑色検出領域Ｄ（Ｇ）と、青色検出領域Ｄ（Ｂ）と、赤外検出領域Ｄ（ＩＲ）とは、面積が互いに等しい。また、当該４検出領域は、例えば、矩形領域に田の字に配置されていても良い。各検出領域の好適な配置については後述する。
【００３３】
アナログ‐デジタル変換回路ＡＤＣは、上述の検出領域からの電流出力をアナログ‐デジタル変換し、デジタル信号を記憶回路部１１に出力する機能を備えている。各アナログ‐デジタル変換回路ＡＤＣは、同じ回路構成を取ることが好ましく、積分時間を１０ｍｓｅｃ以上にすることで、一般的なＡＣ電源で駆動される人工光源（蛍光灯や白熱灯など）の５０Ｈｚ／６０Ｈｚ周波数成分を有効に除去することができる。
【００３４】
記憶回路部１１は、各検出領域からの電流出力をアナログ‐デジタル変換したデジタル信号の大きさに比例したデジタル値を記録する機能を備えている。ここで、記憶回路部１１は、一般的なレジスタ回路やフラッシュメモリにより構成されても良いが、この構成に限定されるわけではない。また、記憶回路部１１の内部に演算回路を組み込んで、各検出領域からの出力値を、前述した三刺激値（ＸＹＺ）に変換して、さらに記憶回路部１１に記録（保存）しても良く、色度図変換し相関色温度を演算して記録しても良い。さらに、当該演算回路において演算した結果を、外部に出力しても良い。
【００３５】
外部出力回路部１２は、記憶回路部１１で記憶（保存）されたデータを、カラーセンサ１が搭載された表示機器などに出力するための回路である。当該出力は、一般的なＩ２Ｃのシリアルデータ出力であっても良いし、パラレルデータ出力でも良いが、この構成に限定されるわけではない。
【００３６】
また、アナログ‐デジタル変換回路ＡＤＣや、記憶回路部１１や、外部出力回路部１２を動作させるために、発振器やＤＳＰなどの制御回路を別途利用しても良い。
【００３７】
（特定色検出領域および赤外検出領域の構造）
図２は、特定色検出領域および赤外検出領域の一例を示す縦構造図である。ここで、特定色検出領域および赤外検出領域は、半導体基板上に形成されている。
【００３８】
図２に示すように、特定色検出領域は、赤色検出領域Ｄ（Ｒ）、緑色検出領域Ｄ（Ｇ）、または青色検出領域Ｄ（Ｂ）のいずれかである。ここで、特定色検出領域が、赤色検出領域Ｄ（Ｒ）であるときには、特定色検出領域は、赤外カットフィルタＩＲＣｕｔＦと、層間膜ＩＭと、赤色フィルタ（第１の特定色フィルタ）ＣＦ（Ｒ）と、受光素子部（第１の受光素子部）ＰＤＳとを備えており、この順番に外部から光が入射する。
【００３９】
また、特定色検出領域が、緑色検出領域Ｄ（Ｇ）であるときには、上記赤色フィルタＣＦ（Ｒ）は、緑色フィルタ（第１の特定色フィルタ）ＣＦ（Ｇ）となる。また、特定色検出領域が、青色検出領域Ｄ（Ｇ）であるときには、上記赤色フィルタＣＦ（Ｒ）は、青色フィルタ（第１の特定色フィルタ）ＣＦ（Ｂ）となる。
【００４０】
また、図２に示すように、赤外検出領域Ｄ（ＩＲ）は、赤外カットフィルタＩＲＣｕｔＦ、層間膜ＩＭ、青色フィルタ（第２の特定色フィルタ）ＣＦ（Ｂ）、および受光素子部（第２の受光素子部）ＰＤＳを備えており、この順番に外部から光が入射する。
【００４１】
ここで、各検出領域は、受光素子部ＰＤＳを備えている。当該受光素子部ＰＤＳは、後述のように、フォトダイオード（ＰＤ；PhotoDiode）の組合せとみなすことができる。
【００４２】
また、赤色フィルタＣＦ（Ｒ）、緑色フィルタＣＦ（Ｇ）、および青色フィルタＣＦ（Ｂ）の各種フィルタは、コスト面からオンチップの一般的な色素系フィルタで構成されることが好ましい。
【００４３】
なお、赤色フィルタＣＦ（Ｒ）は、赤色（第１の特定色）の光を透過するフィルタである。また、緑色フィルタＣＦ（Ｇ）は、緑色（第１の特定色）の光を透過するフィルタである。また、青色フィルタＣＦ（Ｂ）は、青色（第１の特定色、第２の特定色）の光を透過するフィルタである。
【００４４】
赤外カットフィルタＩＲＣｕｔＦは、オンチップの構成でも赤外カットガラスなど、どちらでも良いが、特定色検出領域および赤外検出領域Ｄ（ＩＲ）の全面が一様に覆われる構成であることが好ましい。また、本発明のカラーセンサはオンチップの赤外カットフィルタＩＲＣｕｔＦで構成される事を想定し、後述するように製造面での容易化の工夫もなされている。
【００４５】
赤外検出領域Ｄ（ＩＲ）は青色フィルタＣＦ（Ｂ）と赤外カットフィルタＩＲＣｕｔＦが縦に積層された構成を取る。また、フォトダイオードの分光感度特性は、赤外成分にピーク感度を有することを特徴としている。一般的なＳｉのフォトダイオードは赤外成分にピーク感度を有するため、例えばＳｉのフォトダイオードの上面にゲートポリシリコンなどで遮光すれば、可視光をカットし、赤外光をある程度透過するフォトダイオードを簡単に作成することができる。
【００４６】
以上の構成により、特定色検出領域および赤外検出領域において、赤外カットフィルタＩＲＣｕｔＦと、特定色検出フィルタとを光が透過して、当該光が受光素子部ＰＤＳに到達し、受光素子部ＰＤＳを構成するフォトダイオード（可視光受光素子、赤外光受光素子）により光電変換が行われ、受光に応じた電流（電流信号）が出力される。当該出力は、アナログの電流信号として利用されても良いし、アナログ‐デジタル変換を受けてデジタル信号として利用されても良い。
【００４７】
なお、赤外カットフィルタＩＲＣｕｔＦおよび特定色フィルタの構成は、上述の構成に限定されるものではない。
【００４８】
例えば、赤外カットフィルタＩＲＣｕｔＦは、特定色フィルタと比較して高価であるため、保護されていることが好ましい。そこで、図３に示すように、赤外カットフィルタＩＲＣｕｔＦおよび特定色フィルタの積層順序を、図２の構成と比較して、外部から入射する光の入射方向に対し逆にしても良い。つまり、各検出領域において、特定色フィルタ、層間膜ＩＭ、赤外カットフィルタＩＲＣｕｔＦ、および受光素子部ＰＤＳの順番に外部から光が入射する構成であっても良い。
【００４９】
特定色検出領域の構成と赤外検出領域の構成とを比較すると、フォトダイオードの電気的接続以外で異なる点はなく、概ね共通している。これにより、各領域の製造において、製造工程を共通化することが可能となり、各領域の品質のバラツキを抑制することができる。
【００５０】
また、上述のように、赤外検出領域の特定色フィルタとして、青色フィルタＣＦ（Ｂ）を利用する構成に限定されるわけではない。例えば、赤色フィルタＣＦ（Ｒ）および青色フィルタＣＦ（Ｂ）を積層した黒色フィルタを利用しても良い。しかしながら、この場合には、赤外検出領域Ｄ（ＩＲ）において赤色フィルタＣＦ（Ｒ）と青色フィルタＣＦ（Ｂ）とを重ねた分、赤外検出領域Ｄ（ＩＲ）の断面構造と特定色検出領域の断面構造とに違いが生じる。これにより、例えば、赤外カットフィルタＩＲＣｕｔＦに歪みが生じて、外部からの光の入射位置の整合性が悪化する虞がある。つまり、一部の検出領域の断面の幅が増えると、隣り合う検出領域においてクロストークが増加し得る。さらに、追加して積層する特定色フィルタのコストと、その積層体の最上部に赤外カットフィルタＩＲＣｕｔＦを塗布する前に、例えば、層間膜ＩＭを形成する際に、層間膜ＩＭの平坦化処理も必要になることから、製造上のコストが増加し得る。
【００５１】
本発明の実施形態に係るカラーセンサ１は、赤外検出領域Ｄ（ＩＲ）の断面構造と特定色検出領域の断面構造とに違いが生じないため、上述のクロストークや製造上のコストは増加しない。
【００５２】
（受光素子部ＰＤＳ）
以下では、各検出領域における受光素子部ＰＤＳの構成について、詳細に説明する。
【００５３】
受光素子部ＰＤＳは、Ｐ基板（Ｐｓｕｂ）からなっている。当該Ｐ基板には、Ｎウェル（Ｎｗｅｌｌ）と、Ｎウェルの中に形成されるＰ拡散層（Ｐｄｉｆ）とが形成されている。ここで、Ｐ基板とＮウェルとの接合領域において、フォトダイオード（赤外光受光素子）ＰＤｉｒが形成されている。また、ＮウェルとＰ拡散層との接合領域において、フォトダイオード（可視光受光素子）ＰＤｖｉｓが形成されている。
【００５４】
ここで、外部から受光素子部へ入射する光の入射方向から見て、Ｐ基板の深い位置にフォトダイオードＰＤｉｒが形成されているので、これを深い接合と呼ぶ。一方、当該入射方向から見て、Ｐ基板の浅い位置にフォトダイオードＰＤｖｉｓが形成されているので、これを浅い接合と呼ぶことができる。
【００５５】
以下では、外部からの光が入射するＰ基板の面をＰ基板面と呼ぶ。当該Ｐ基板面には、赤色フィルタＣＦ（Ｒ）、緑色フィルタＣＦ（Ｇ）、青色フィルタＣＦ（Ｂ）、または赤外カットフィルタＩＲＣｕｔＦが塗布されている。なお、Ｐ基板面と上述の特定色フィルタとの間には、図示しない層間膜や配線層などが設けられている。つまり、図２に示すフォトダイオードＰＤｉｒの配線およびフォトダイオードＰＤｖｉｓの結線は、当該配線層で行われている。
【００５６】
特定色検出領域におけるフォトダイオードＰＤｉｒのアノードおよびフォトダイオードＰＤｖｉｓのアノードは、ＧＮＤに接続されている。また、フォトダイオードＰＤｉｒのカソードとフォトダイオードＰＤｖｉｓのカソードとは、互いに接続されている。これにより、フォトダイオードＰＤｉｒのカソードとフォトダイオードＰＤｖｉｓのカソードとの接続点では、フォトダイオードＰＤｉｒでの受光電流ＩｉｒとフォトダイオードＰＤｖｉｓでの受光電流Ｉｖｉｓとを合わせた電流Ｉａｌｌが流れる。すなわち、特定色検出領域からは、接合の深さが異なるフォトダイオードＰＤｖｉｓおよびフォトダイオードＰＤｉｒの各受光電流が合算されて出力される。
【００５７】
一方、赤外検出領域Ｄ（ＩＲ）は、フォトダイオードＰＤｖｉｓのアノードを接地する代わりに、フォトダイオードＰＤｉｒのカソードに接続している。このように、フォトダイオードＰＤｖｉｓのアノードとカソードとを短絡することにより、赤外検出領域Ｄ（ＩＲ）からは、フォトダイオードＰＤｉｒでの受光電流Ｉｉｒのみが出力される。
【００５８】
さて、Ｐ基板の上部からのみ光が入射するものとすると、接合が浅い部分に形成されるフォトダイオードＰＤｖｉｓと、接合が深い部分に形成されるフォトダイオードＰＤｉｒとでは、一般的にその分光感度特性が異なる。以下では、この分光感度特性の違いについて説明する。
【００５９】
（分光感度特性）
図４は、浅い接合のフォトダイオードＰＤｖｉｓおよび深い接合のフォトダイオードＰＤｉｒの分光感度特性の一例を示すグラフである。
【００６０】
細い実線は、フォトダイオードＰＤｖｉｓの分光感度特性を示している。また、破線は、フォトダイオードＰＤｉｒの分光感度特性を示している。また、太い実線は、フォトダイオードＰＤｖｉｓの分光感度特性とフォトダイオードＰＤｉｒの分光感度特性との合計を示している。
【００６１】
このように、浅い接合のフォトダイオードＰＤｖｉｓは可視光領域をピークに赤外成分まで感度を持ち、深い接合のフォトダイオードＰＤｉｒは赤外光領域にピーク感度を持っている。
【００６２】
図５は、一般的なカラーフィルタの分光感度特性を示すグラフである。
【００６３】
実線は、赤色フィルタＣＦ（Ｒ）の分光感度特性を示している。また、点線は、緑色フィルタＣＦ（Ｇ）の分光感度特性を示している。また、破線は、青色フィルタＣＦ（Ｂ）の分光感度特性を示している。
【００６４】
図６は、一般的な赤外カットフィルタＩＲＣｕｔＦの分光感度特性を示すグラフである。
【００６５】
実線は、完全に赤外光（ＩＲ）をカットする場合の、赤外カットフィルタＩＲＣｕｔＦの分光感度特性を示している。一方、破線は、赤外成分を１０％透過する場合の、赤外カットフィルタＩＲＣｕｔＦの分光感度特性である。
【００６６】
図７は、赤色検出領域Ｄ（Ｒ）、緑色検出領域Ｄ（Ｇ）、青色検出領域Ｄ（Ｂ）、および赤外検出領域Ｄ（ＩＲ）における分光感度特性を示すグラフである。
【００６７】
図５に示す分光感度特性を有する赤色フィルタＣＦ（Ｒ）と、図６に破線で示す赤外成分を１０％透過する場合の分光感度特性を有する赤外カットフィルタＩＲＣｕｔＦとを積層することにより、図７に示す赤色検出特性の分光感度特性を有する積層体を得ることができる。ここで、赤色検出特性の分光感度特性を有する積層体について説明したが、緑色検出特性および青色検出特性についても同様に積層体を得ることができる。
【００６８】
図７に示すように、赤色検出特性は、赤色成分にピーク感度を有している。また、緑色検出特性は、緑色成分にピーク感度を有している。また、青色検出特性は、青色成分にピーク感度を有している。
【００６９】
また、図５に示す分光感度特性を有する青色フィルタＣＦ（Ｒ）と、図６に破線で示す赤外成分を１０％透過する場合の分光感度特性を有する赤外カットフィルタＩＲＣｕｔＦとを積層することにより、赤外のピーク感度を抑えつつ、図７に示す赤外検出特性の分光感度特性を有する積層体を得ることができる。
【００７０】
図７に示すように、各特定色検出領域の感度特性と、赤外検出領域Ｄ（ＩＲ）の分光感度特性は、各特定検出領域のそれぞれの赤外成分の分光感度特性と似た分光感度特性を有している。これにより、各特定色検出領域の出力信号から、赤外検出領域Ｄ（ＩＲ）の出力信号を減算することにより、赤外成分のみを得ることができる。
【００７１】
つまり、例えば、赤外カットフィルタＩＲＣｕｔＦの製造バラツキにより、赤外カットフィルタＩＲＣｕｔＦの赤外波長領域（７７５ｎｍ〜１１００ｎｍ）で１０％程度の感度が増加してしまった場合でも、また、表示装置に組み込まれた際、カラーセンサ１の前面に配置されるパネルの分光透過率が可視領域と赤外領域で異なっている場合でも、特定色検出領域からの出力信号と赤外検出領域Ｄ（ＩＲ）からの信号を演算することで、正確な色温度および照度を出力することができる。
【００７２】
以上では、各検出領域の縦構造および分光感度特性について説明した。以下では、各検出領域の、平面的な配置方法について説明する。
【００７３】
（検出領域の配置）
図８は、各色の検出領域の配置方法を示す上面図である。
【００７４】
本発明の実施形態に係るカラーセンサ１は、赤色、緑色、および青色の３個の互いに特定色の異なる特定色検出領域および赤外検出領域からなる、合計４個の種類が異なる検出領域の組を１つ設ければ、最低限の動作は可能である。
【００７５】
しかしながら、カラーセンサ１に入射する光は、面光源から出射した光のように均一に照射されるのではなく、点光源から出射した光のように不均一に照射されるとともに、ある角度（指向角）を成して照射され得る。カラーセンサ１では、当該不均一な光の照射を受けると、最終的に演算により出力する色温度および照度が正確にならない虞がある。
【００７６】
以下では、予め設定した受光中心点に対して点対称になるように、上述の異種の検出領域４個からなる組を、４ｎ個（ｎは自然数）配置することにより、不均一に照射される光に対しても、正確に色温度や照度を得ることができるということについて説明する。
【００７７】
図８の（ａ）〜（ｃ）において、Ｒは、赤色検出領域Ｄ（Ｒ）を表す。また、Ｇは、緑色検出領域Ｄ（Ｇ）を表す。また、Ｂは、青色検出領域Ｄ（Ｂ）を表す。また、ＩＲは赤外検出領域Ｄ（ＩＲ）を表す。図８の（ａ）に破線で示すように、１個の赤色検出領域Ｄ（Ｒ）と、１個の緑色検出領域Ｄ（Ｇ）と、１個の青色検出領域Ｄ（Ｂ）と、１個の赤外検出領域Ｄ（ＩＲ）とが、２行２列に配置され、一つの組Ｓを形成している。そして、４ｎ個（ｎは自然数）の組Ｓが、受光中心点に対して点対称となるように配置されている。
【００７８】
また、受光中心点に最も近い各検出領域は、時計回りにＲ、Ｇ、Ｂ、ＩＲと配置されているが、この構成に限定されるわけではない。例えば、受光中心点に対して、各検出領域を回転させ配置しても良いし、ＲとＢ、ＧとＩＲといった、対角の位置関係にある検出領域を入れ替えても良く、さらに、隣接する検出領域を入れ替えても良い。つまり、受光中心点に対して、上述の組の対称性が確保される事が重要であり、中心に近い４種の検出領域の配置に制限は無い。加えて、このとき、隣接する検出領域の種類が、互いに重ならないように配置されていれば良い。
【００７９】
上述のように、受光中心に対して各組を点対称に配置させるために、組Ｓは、４ｎ個（ｎは自然数）存在する。
【００８０】
図８の（ａ）は、ｎ＝１の場合の各検出領域の配置を示す平面図である。図８の（ａ）に示すように、各検出領域は、４行×４列に配置されている。
【００８１】
また、ＧおよびＩＲは左上から右下に向かって斜めの線上に配置されていて、ＲとＢは右上から左下に向かって斜めの線上に配置されている。また、任意の行または任意の列には、Ｒ、Ｇ、Ｂ、およびＩＲを１個ずつ組み合わせたパターンが存在している。
【００８２】
図８の（ｂ）は、ｎ＝２の場合の各検出領域の配置を示す平面図である。図８の（ａ）に示すように、各検出領域は、４行×８列に配置されている。ここで、カラーセンサ１は、４種の検出領域により構成されていることから、各行、各列共に４の倍数個の検出領域により構成されていることが、上述の光の均一化において重要であると言っても良い。受光中心点の４行×４列（図８の（ｂ）において破線で囲んだ領域）に注目すると、各検出領域は、ｎ＝１の場合と同様に配置されている。これにより、ｎ＝１の場合と同様に、さらに斜めの線上に乗るように検出領域を追加すれば、受光中心点に対して点対称な配置となる。
【００８３】
図８の（ｃ）は、ｎ＝４の場合の各検出領域の配置を示す平面図である。図８の（ｃ）に示すように、各検出領域は、８行×８列で配置されている。ここで、各検出領域は、配置した全体の形状が正方形になるように配置されることが好ましい。上述のように、受光中心点の４行×４列に、各検出領域がｎ＝１の場合と同様に配置されている。これにより、ｎ＝１の場合と同様に、さらに斜めの線上に乗るように検出領域を追加すれば、受光中心点に対して点対称な配置となる。
【００８４】
以下では、上述の構成を備える各検出領域が出力する信号を受け取り、アナログ‐デジタル変換する、アナログ‐デジタル変換回路ＡＤＣついて詳細に説明する。
【００８５】
（アナログ‐デジタル変換回路ＡＤＣの構成）
図９は、アナログ‐デジタル変換回路ＡＤＣの構成を示す図である。図９に示すように、アナログ‐デジタル変換回路ＡＤＣは、充電回路（積分回路）１５と、放電回路１６と、比較回路１７と、制御回路（出力回路）１８とを備えている。以下では、これらのアナログ‐デジタル変換回路ＡＤＣの各構成要素について、詳細に説明する。
【００８６】
なお、図１に示すように、アナログ‐デジタル変換回路ＡＤＣは、各特定色検出領域および赤外検出領域に対応して複数存在するが、これらは同じ構成を有している。しかしながら、この構成に限定されるわけではなく、例えば、一部のアナログ‐デジタル変換回路ＡＤＣの構成を変更しても良い。
【００８７】
（充電回路１５）
充電回路１５は、積分器を構成するアンプＡＭＰ１と、コンデンサ（積分コンデンサ）Ｃ１とを備えている。コンデンサＣ１には、入力電流Ｉｉｎに応じた量の電荷が蓄えられる。
【００８８】
（放電回路１６）
放電回路１６は、電源Ｖｄｄと、コンデンサＣ１に蓄えられた電荷を放電するための基準電流ＩＲＥＦを発生させる基準電流源Ｉｒｅｆと、放電のＯＮ／ＯＦＦを切り替えるためのスイッチＳＷ２とを備えている。
【００８９】
（比較回路１７）
比較回路１７は、比較器ＣＭＰ１と、スイッチＳＷ１とを備えている。ここで、比較器ＣＭＰ１は、充電回路１５の出力電圧Ｖｓｉｇと、基準電圧源Ｖ１が供給する基準電圧Ｖｒｅｆとの互いの高低を比較して、出力信号ｃｏｍｐを出力する。
【００９０】
また、スイッチＳＷ１のＯＮ／ＯＦＦにより、入力される入力電流Ｉｉｎがデジタル値ＡＤＣＯＵＴに変換されるデータ変換期間が決定される。
【００９１】
まず、スイッチＳＷ１がＯＮされると、基準電圧源Ｖ１が充電回路１５に接続され、コンデンサＣ１に基準電圧Ｖｒｅｆが供給されて、コンデンサＣ１が充電される。また、スイッチＳＷ１がＯＦＦされると、充電回路１５の出力電圧Ｖｓｉｇと基準電圧Ｖｒｅｆとが比較器ＣＭＰ１により比較される。当該比較結果の出力信号ｃｏｍｐは、「Ｈｉｇｈ」と「Ｌｏｗ」との２値のパルス信号として制御回路に入力される。スイッチＳＷ１がＯＦＦされている期間に入力される入力電流Ｉｉｎは、デジタル値ＡＤＣＯＵＴに変換される。
【００９２】
（制御回路１８）
制御回路１８は、フリップフロップＦＦと、カウンタＣＯＵＮＴとを備えている。フリップフロップＦＦにより、比較回路１７の出力信号ｃｏｍｐがラッチされる。これにより、ビットストリーム信号ｃｈａｒｇｅは、放電回路１６およびカウンタＣＯＵＮＴにそれぞれ入力される。ここで、カウンタＣＯＵＮＴは、ビットストリーム信号ｃｈａｒｇｅのＬＯＷレベル回数（放電回数）を計数する。すなわち、カウンタＣＯＵＮＴは、アクティブパルスを計数する。また、当該計数結果を、入力された入力電流Ｉｉｎに応じたアナログ‐デジタル変換値であるデジタル値ＡＤＣＯＵＴとして出力する。
【００９３】
ここで、放電回路１６のスイッチＳＷ２は、ビットストリーム信号ｃｈａｒｇｅに基づいてＯＮ／ＯＦＦされる。まず、放電回路１６のスイッチＳＷ２がＯＮされると、放電回路１６により、充電回路１５のコンデンサＣ１に電荷が蓄えられる。スイッチＳＷ２がＯＦＦされると、入力される入力電流Ｉｉｎに応じて充電回路１５のコンデンサＣ１の電荷が放電される。
【００９４】
以下では、上述の構成を備えるアナログ‐デジタル変換回路ＡＤＣの動作について説明する。
【００９５】
（アナログ‐デジタル変換回路ＡＤＣの動作）
図１０は、アナログ‐デジタル変換回路ＡＤＣの動作を示す波形図である。
【００９６】
まず、スイッチＳＷ１にＨｉｇｈレベルの信号が入力されると、スイッチＳＷ１はＯＦＦされ、入力される入力電流Ｉｉｎのデジタル値ＡＤＣＯＵＴへの変換が開始される。
【００９７】
また、スイッチＳＷ２にＨｉｇｈレベルの信号が入力されると、該スイッチＳＷ２はＯＦＦされ、入力電流Ｉｉｎに応じて充電回路１５のコンデンサＣ１に蓄えられた電荷が放電される（プリチャージ動作）。これにより、充電回路１５の出力電圧Ｖｓｉｇは低下していく。最初に充電回路１５の出力電圧Ｖｓｉｇと基準電圧Ｖｒｅｆとが同じように設定されているため、この期間において、充電回路の出力電圧Ｖｓｉｇは基準電圧Ｖｒｅｆを下回る。
【００９８】
その後、スイッチＳＷ２にＬｏｗレベルの信号が入力されると、スイッチＳＷ２はＯＮされ、放電回路１６より充電回路１５のコンデンサＣ１に電荷が充電される。これにより、充電回路１５の出力電圧Ｖｓｉｇは増加していく。ある時点で、充電回路１５の出力電圧Ｖｓｉｇは基準電圧Ｖｒｅｆを上回る。充電回路１５の出力電圧Ｖｓｉｇと基準電圧Ｖｒｅｆとは、比較器ＣＭＰ１によって比較され、充電回路１５の出力電圧Ｖｓｉｇが基準電圧Ｖｒｅｆを上回ると、Ｈｉｇｈレベルの出力信号ｃｏｍｐが比較器ＣＭＰ１から出力される。
【００９９】
制御回路１８のフリップフロップＦＦにＨｉｇｈレベルの出力信号ｃｏｍｐが入力されると、フリップフロップＦＦは出力信号ｃｏｍｐをラッチし、次のクロック信号ｃｌｋの立ち上がりに同期して、Ｈｉｇｈレベルのビットストリーム信号ｃｈａｒｇｅを出力する。
【０１００】
スイッチＳＷ２にＨｉｇｈレベルのビットストリーム信号ｃｈａｒｇｅが入力されると、スイッチＳＷ２はＯＦＦされ、充電回路１５のコンデンサＣ１に蓄えられた電荷が放電される。これにより、充電回路１５の出力電圧Ｖｓｉｇは低下していく。ある時点で、充電回路１５の出力電圧Ｖｓｉｇは基準電圧Ｖｒｅｆを下回る。充電回路１５の出力電圧Ｖｓｉｇが基準電圧Ｖｒｅｆを下回ると、比較器ＣＭＰ１の出力がアクティブレベルにあることを示すアクティブパルスとしてのＬｏｗレベルの出力信号ｃｏｍｐが出力される。なお、当該アクティブパルスをＬｏｗレベルとＨｉｇｈレベルとのいずれに設定してもよく、回路の動作論理によって適宜選択可能である。
【０１０１】
制御回路１８のフリップフロップＦＦにＬｏｗレベルの出力信号ｃｏｍｐが入力されると、該フリップフロップＦＦが出力信号ｃｏｍｐをラッチすることで制御回路１８は出力信号ｃｏｍｐを取り込み、フリップフロップＦＦは次のクロック信号ｃｌｋの立ち上がりに同期して、Ｌｏｗレベルのビットストリーム信号ｃｈａｒｇｅを出力する。
【０１０２】
スイッチＳＷ２にＬｏｗレベルのビットストリーム信号ｃｈａｒｇｅが入力されると、該スイッチＳＷ２はＯＮされる。ここで、ビットストリーム信号ｃｈａｒｇｅは、Ｌｏｗレベル信号（アクティブパルス）の時系列的並びであり、Ｌｏｗレベル期間（アクティブパルス期間）にスイッチＳＷ２がＯＮされる。
【０１０３】
アナログ‐デジタル変換回路ＡＤＣは、上記のような動作を繰り返し、スイッチＳＷ１がＯＦＦされている期間、すなわちデータ変換期間ｔ＿ｃｏｎｖに、カウンタＣＯＵＮＴが、放電回路１６の放電回数ｃｏｕｎｔをカウントすることで、入力された入力電流Ｉｉｎに応じたデジタル値ＡＤＣＯＵＴを出力することが可能になる。
【０１０４】
ここで、データ変換期間ｔ＿ｃｏｎｖに入力電流Ｉｉｎにより充電される電荷量は、クロック信号ｃｌｋの周期をｔ＿ｃｌｋとすると、
Ｉｉｎ×ｔ＿ｃｏｎｖ
となり、放電回路１６に流れる基準電流ＩＲＥＦにより一度に放電される電荷量は、
ＩＲＥＦ×ｔ＿ｃｌｋ
となる。充電電荷量Ｉｉｎ×ｔ＿ｃｏｎｖと、データ変換期間ｔ＿ｃｏｎｖに放電される電荷量の合計とが等しくなるので、
Ｉｉｎ×ｔ＿ｃｏｎｖ＝ＩＲＥＦ×ｔ＿ｃｌｋ×ｃｏｕｎｔ    …（４）
となる。上式（１）により、
ｃｏｕｎｔ＝（Ｉｉｎ×ｔ＿ｃｏｎｖ）／（ＩＲＥＦ×ｔ＿ｃｌｋ）    …（５）
が導かれる。
【０１０５】
アナログ‐デジタル変換回路ＡＤＣの最小分解能は、（ＩＲＥＦ×ｔ＿ｃｌｋ）で決定されることになる。ここで、最小分解能をｎとすると、充電期間ｔ＿ｃｏｎｖは、
ｔ＿ｃｏｎｖ=ｔ＿ｃｌｋ×２ｎ    …（６）
に設定されるので、
ｃｏｕｎｔ＝（Ｉｉｎ／ＩＲＥＦ）×２ｎ    …（７）
が導かれる。
【０１０６】
例えば、分解能ｎ＝１６ビットの場合、カウンタＣＯＵＮＴは、入力電流Ｉｉｎに応じた値を、０〜６５５３５の範囲で出力することになる。これにより、積分型アナログ‐デジタル変換回路ＡＤＣは、広いダイナミックレンジと高い分解能のアナログ‐デジタル変換が可能である。
【０１０７】
図１に示す記憶回路部１１は、設定された積分時間が終了したタイミングでＡＤＣＯＵＴの出力信号を取り込む（記録）するような構成としても良い。
【０１０８】
（まとめ）
上記のように、本発明の実施形態に係るカラーセンサ１では、アナログ‐デジタル変換回路ＡＤＣで直接アナログ‐デジタル変換された、赤色、緑色、および青色の各色の信号出力値と赤外領域からの出力信号値とを利用する事で、安価な構成で精度の高い色温度または照度を算出することができる。
【０１０９】
また、図９に示すアナログ‐デジタル変換回路ＡＤＣでは、アンプＡＭＰ１の非反転入力端子への入力電圧を０Ｖに設定することができる。これにより、フォトダイオードの両端電圧（バイアス電圧）を０Ｖとする（バイアス電圧を印加しない）ことが可能である。よって、フォトダイオードの暗電流を低減することが可能であり、低い光量まで正確に測定することが可能である。つまり、低感度での測定を正確に行うことができる。
【０１１０】
また、図１に示すカラーセンサ１において、色情報出力と赤外情報出力を時系列で制御し出力するようにすることで、回路規模の削減につながる。例えば、各検出領域からの出力をマルチプレクサに接続し１つのＡＤＣの入力に接続する。１０ｍｓｅｃ毎にマルチプレクサで出力電流を選択、順次出力し、その情報を内部レジスタに記録する。これにより、カラーセンサは、すべての正確な色情報を得ることができる。
【０１１１】
〔実施形態２〕
本発明の第２の実施形態について、図１１に基づいて詳細に説明すると以下の通りである。本実施形態では、本発明の実施形態１に係るカラーセンサ１を表示装置に適用した例について説明する。
【０１１２】
（表示装置２）
図１１は、本実施形態に係る表示装置２の概略構成を示すブロック図である。表示装置２は、カラーセンサ１と、バックライト制御部２１と、バックライト２２と、表示パネル２５とを備えている。
【０１１３】
バックライト２２は、画面を表示する表示パネル２５を背面から照射するための光源であり、例えば、赤色ＬＥＤ、緑色ＬＥＤ、および青色ＬＥＤを有している。カラーセンサ１は、表示装置２の周囲光を受光して周囲光の色成分を測定し、測定結果としてデジタル信号ＤＯＵＴをバックライト制御部２１に出力する。つまり、カラーセンサ１は、色検出領域（特定色検出領域）Ｄ（Ｃ）の出力信号および赤外検出領域Ｄ（ＩＲ）の出力信号に基づいて照度情報を出力している。次に、バックライト制御部２１は、デジタル信号（照度情報）ＤＯＵＴから演算して色成分や照度を算出する。
【０１１４】
そして、当該算出された情報を基に、バックライト２２の赤色ＬＥＤ、緑色ＬＥＤ、および青色ＬＥＤの各輝度を制御することにより、上記周囲光の色成分に応じてバックライト２２の色彩を制御または輝度を制御することができる。
【０１１５】
例えば、周囲光の照度が大きい場合、バックライト制御部２１はバックライト２２の輝度を上げるように制御し、周囲光の照度が小さい場合、バックライト制御部２１はバックライト２２の輝度を下げるように制御する。これにより、バックライト２２の消費電力を抑えることができるとともに、目の色順応に対応するように表示パネル２５の色味を正確に制御することができる。
【０１１６】
〔実施形態３〕
本発明の第３の実施形態について、図１２に基づいて説明すると以下の通りである。本実施形態では、本発明の実施形態１に係るカラーセンサ１の記憶回路部１１の詳細な構成例と、カラーセンサ１の自己診断について説明する。
【０１１７】
（記憶回路部１１）
図１２は、本実施形態に係る記憶回路部１１の概略構成を示すブロック図である。図１２に示すように、記憶回路部１１は、大きく分けて、記憶回路制御部１１０と、メモリ１１１と、通信部１１２と、入力部１１３とを備えている。ここで、記憶回路制御部１１０は、記憶回路部１１の主要構成要素であり、図１に示すアナログ‐デジタル変換回路ＡＤＣから各色のデジタル値を受け取り、演算を行って、三刺激値、色温度、または照度を、外部出力回路部１２へ出力する。また、メモリ１１１には、補正マトリックスデータ１１１１などが保存されている。また、メモリ１１１には、各色のデジタル値が保存されても良い。
【０１１８】
記憶回路制御部（記憶回路制御手段）１１０は、三刺激値演算部（三刺激値演算手段）１１０１と、補正マトリックス設定部１１０２と、色温度演算部（色温度演算手段）１１０３と、照度演算部（照度演算手段）１１０４と、出力選択部（出力選択手段）１１０５とを備えている。
【０１１９】
以下では、記憶回路制御部１１０の各構成要素について、詳細に説明する。
【０１２０】
（三刺激値演算部１１０１）
三刺激値演算部１１０１は、図１に示すアナログ‐デジタル変換回路ＡＤＣから出力されるＲ、Ｇ、Ｂ、およびＩＲのデジタル値に基づいて、三刺激値を演算する。三刺激値は、上述の数式（２）に示すように、補正マトリックスと、各デジタル値からなるベクトルとを乗算することにより演算することができる。ここで、三刺激値演算部１１０１は、補正マトリックス設定部１１０２と接続されており、補正マトリックス設定部１１０２から当該補正マトリックスを受け取り、三刺激値の演算に利用する。
【０１２１】
また、三刺激値演算部１１０１は、色温度演算部１１０３、照度演算部１１０４、および出力選択部１１０５に接続されている。
【０１２２】
（補正マトリックス設定部１１０２）
補正マトリックス設定部１１０２は、三刺激値演算部１１０１にて三刺激値の演算に利用される補正マトリックスを設定する。ここで、補正マトリックス設定部１１０２は、メモリ１１１に接続されており、メモリ１１１から保存された補正マトリックスデータを受け取る。
【０１２３】
また、補正マトリックス設定部１１０２は、通信部１１２に接続されており、通信部１１２を介して、外部ネットワーク３から補正マトリックスデータを受信しても良い。さらに、当該受信した補正マトリックスデータをメモリ１１１に保存しても良い。
【０１２４】
また、補正マトリックス設定部１１０２は、入力部１１３に接続されており、入力部１１３からの入力を受けて、補正マトリックスを手動により更新しても良い。また、当該更新した補正マトリックスのデータをメモリ１１１に保存しても良い。
【０１２５】
なお、補正マトリックス設定部１１０２は、上述の構成に限定されるわけではなく、三刺激値演算部１１０１の内部に統合されていても良い。
【０１２６】
（色温度演算部１１０３および照度演算部１１０４）
色温度演算部１１０３は、三刺激値演算部１１０１から得た三刺激値から、色温度を演算する。照度演算部１１０４は、三刺激値演算部１１０１から得た三刺激値から、照度を演算する。
【０１２７】
色温度演算部１１０３および照度演算部１１０４は、出力選択部１１０５にそれぞれ接続されている。
【０１２８】
（出力選択部１１０５）
出力選択部１１０５は、三刺激値演算部１１０１から得た三刺激値、色温度演算部１１０３から得た色温度、または照度演算部１１０４から得た照度を選択する。また、出力選択部１１０５は、外部出力回路部１２に接続されており、当該選択した値を送信する。
【０１２９】
ここで、三刺激値演算部１１０１で、補正マトリックスとして単位行列に類する行例を利用することにより、三刺激値として図１に示すアナログ‐デジタル変換回路ＡＤＣから出力されるＲ、Ｇ、およびＢのデジタル値を、そのまま出力選択部１１０５に送信することができる。ここで、単位行列に類する行列とは、数式（２）において、Ｃ１１と、Ｃ２２と、Ｃ３３とが１であり、他の係数が０である行列のことである。このように、出力選択部１１０５は、Ｒ、Ｇ、およびＢのデジタル値、三刺激値、色温度、および照度を外部出力回路部１２に送信することができる。
【０１３０】
（カラーセンサ１の自己診断）
カラーセンサ１の構成要素の劣化にともない、同じセンシング対象に対しても、記憶回路部１１に入力されるデジタル値は変化する。本実施形態の構成により、カラーセンサ１は、このような構成要素の劣化を自己診断することができる。以下では、カラーセンサ１が、工場出荷時（基準時）の状態から劣化した場合に自己診断する構成について説明する。
【０１３１】
まず、メモリ１１１は、基準標本に対する各色のデジタル値の工場出荷値（基準値）１１１２をさらに保存している。基準標本とは、長期間に渡り基準とすることができるような、一定の、三刺激値、色温度、または照度を示し得る標本のことである。また、工場出荷値１１１２とは、工場出荷時のカラーセンサ１により基準標本をセンシングしたときに取得することができる各色のデジタル値のことである。
【０１３２】
本実施形態では、工場出荷時のカラーセンサ１により基準標本をセンシングしたときに取得することができるデジタル値と、工場出荷後時間が経過したカラーセンサ１により基準標本をセンシングしたときに得られるデジタル値とを比較して、これが変化しているのであれば、カラーセンサ１の構成要素が劣化していると判定することができる。
【０１３３】
すなわち、メモリ１１１に保存されている工場出荷値と、基準標本に対するデジタル値とを比較して自己診断することができる。
【０１３４】
〔実施形態の総括〕
上記の各実施形態では、周囲光の色温度を検知するため、カラーセンサは、可視光のうち特定色の光に感度を有する特定色検出領域として、赤色、緑色および青色の各検出領域を備えていたが、本発明はこれに限定されない。赤色、緑色および青色の各検出領域の代わりに、例えば、シアン、マゼンダおよびイエローの各色を検出する領域を設けてもよい。
【０１３５】
また、特定色検出領域の数は、特に限定されない。例えば、特定色検出領域を１つだけ設け、特定色検出領域の出力信号から、赤外検出領域の出力信号および当該特定色の信号に基づいて、当該特定色の真の色情報を示す信号を得ることができる。これにより、周囲光の特定の色成分を正確に検出可能であるとともに、安価で小型のカラーセンサを提供できる。
【０１３６】
また、本発明の態様１に係るセンサは、可視光のうち特定色の光に感度を有する特定色検出領域と、赤外光に感度を有する赤外検出領域とを備え、上記特定色検出領域は、第１の特定色の光を透過する第１の特定色フィルタと、当該光から赤外成分をカットする赤外カットフィルタと、上記第１の特定色フィルタおよび上記赤外カットフィルタを透過した光を受光する第１の受光素子部とを備え、上記赤外検出領域は、第２の特定色の光を透過する第２の特定色フィルタと、上記赤外カットフィルタと、上記第２の特定色フィルタおよび上記赤外カットフィルタを透過した光を受光する第２の受光素子部とを備え、上記第２の受光素子部の出力信号に応じて上記第１の受光素子部の出力信号から赤外成分を減算することを特徴としている。
【０１３７】
なお、特定色フィルタとは、例えば、赤色フィルタ、緑色フィルタ、または青色フィルタなどであっても良い。
【０１３８】
上記の構成によれば、特定色検出領域から特定色の光に応じた信号が出力されるとともに、赤外検出領域から赤外光に応じた信号が出力される。ここで、特定色検出領域の出力信号には、特定色の成分だけでなく赤外カットフィルタにてカットしきれない赤外成分も含まれている。そして、カラーセンサにおいて、このような赤外成分があると、正確な色温度や照度の情報を出力できない。
【０１３９】
しかしながら、赤外検出領域の第２の受光素子の出力信号に応じて、特定色検出領域の第１の受光素子の出力信号から赤外成分を減算により除去することで、真の特定色の色情報を得ることができ、これにより正確な色温度や照度の情報を出力することができる。
【０１４０】
したがって、簡単な構成で光の色成分を正確に検出し、正確な色温度や照度を算出可能なセンサを提供することができる。換言すると、赤外成分をある程度透過するような赤外カットフィルタを利用せざるを得ない場合であっても、正確に色温度や照度を算出することができる。
【０１４１】
また、特定色検出領域よび赤外検出領域において、各特定色検出領域に対応する特定色フィルタおよび赤外カットフィルタを利用する同様の構成にすることにより、フィルタの積層状態を均一化することが可能となる。これにより、センサの製造において、例えば、平坦化処理などが不要となり、コストを抑制することができる。
【０１４２】
さらに、特定色検出領域および赤外検出領域において、共通した赤外カットフィルタを利用することにより、センサの製造において、赤外カットフィルタを連続して塗布することが可能となる。これにより、例えば、赤外カットフィルタの厚みを均一化することが可能となり、各特定色検出領域および赤外検出領域における、受光素子部に照射される光の赤外成分を均一化することができる。
【０１４３】
また、本発明の態様２に係るセンサでは、上記態様１において、上記第２の特定色は、青色であることが好ましい。
【０１４４】
上記の構成によれば、第２の特定色が青色であるので、赤外検出領域の特定色フィルタとして青色フィルタを利用することになる。
【０１４５】
一般的には、赤外検出領域の特定色フィルタとして、青色フィルタの他に、例えば、赤色フィルタまたは緑色フィルタを利用することが考えられる。
【０１４６】
しかしながら、赤色フィルタの分光感度特性には、赤外成分に近い赤色成分が含まれ得る。また、緑色フィルタの分光感度特性には赤外成分が含まれないことが知られている。
【０１４７】
よって、赤色フィルタまたは緑色フィルタを赤外検出領域の特定色フィルタとして利用した場合、赤外検出領域の出力信号は、正確に赤外成分を反映しなくなると考えられる。つまり、上述のように、赤外検出領域の出力信号を利用して、特定色検出領域の出力信号から赤外成分を除去して、真の特定色の色情報を得ることができなくなると考えられる。
【０１４８】
一方、青色フィルタを赤外検出領域の特定色フィルタとして利用した場合には、赤色フィルタまたは緑色フィルタを利用した場合と比較して、赤外検出領域での赤色の検出感度を低下させることができ、赤外成分のみに感度を有する構成となる。
【０１４９】
つまり、赤外検出領域の出力信号は、青色フィルタを利用する場合には、他の特定色フィルタを利用した場合と比較して、赤外成分をより正しく反映することができる。
【０１５０】
また、本発明の態様３に係るセンサでは、上記態様１または２において、上記第１の特定色は、赤色、緑色、または青色であることが好ましい。
【０１５１】
上記の構成によれば、赤色、緑色、または青色の色成分を検出可能なセンサを提供することができる。
【０１５２】
また、本発明の態様４に係るセンサでは、上記態様１〜３のいずれか１態様において、外部から光が照射される方向に対して順に、上記特定色フィルタと、上記赤外カットフィルタと、上記受光素子部とが配されていることが好ましい。
【０１５３】
ここで、フィルタは、照射される光に含まれる紫外線や、物理的な外力により劣化し得る。また、赤外カットフィルタは、特定色フィルタと比較して高価であるため、保護されていることが好ましい。
【０１５４】
上記の構成によれば、外部から照射される光は、赤外カットフィルタを透過する前に、特定色フィルタを透過する。よって、紫外線は、まず特定色フィルタにより吸収されるため、当該紫外線による赤外カットフィルタの劣化を抑制することができる。また、物理的な外力は、まず特定色フィルタに作用するため、当該物理的な外力による赤外カットフィルタの劣化を抑制することができる。
【０１５５】
また、本発明の態様５に係るセンサでは、上記態様１〜４のいずれか１態様において、各受光素子部は、可視光領域に感度のピークを有する可視光受光素子と、赤外光領域に感度のピークを有する赤外光受光素子とを備え、上記第１の受光素子部では、上記可視光受光素子のカソードと上記赤外光受光素子のカソードとが接続されており、上記第２の受光素子部では、上記可視光受光素子のカソードとアノードとが短絡されていることが好ましい。
【０１５６】
上記の構成によれば、可視光受光素子のカソードと赤外受光素子のカソードとが接続されていることにより、可視光受光素子の受光電流と赤外受光素子の受光電流とを合算した電流が、第１の受光素子部から出力される。上述のように、特定色検出領域は、第１の受光素子部を備えている。よって、当該電流が、特定色検出領域から出力される。
【０１５７】
また、可視光受光素子のカソードとアノードとが短絡されていることにより、赤外受光素子の受光電流のみが第２の受光素子部から出力される。上述のように、赤外検出領域は、第２の受光素子部を備えている。よって、当該受光電流が、赤外検出領域から出力される。
【０１５８】
したがって、特定色検出領域から特定色の光に応じた電流信号が出力されるとともに、赤外検出領域から赤外光に応じた電流信号が出力される。よって、赤外検出領域の電流信号を利用して、特定色検出領域の電流信号から赤外成分を除去して、真の特定色の色情報を得ることができる。
【０１５９】
また、本発明の態様６に係るセンサでは、上記態様１〜５のいずれか１態様において、特定色が互いに異なる３個の上記特定色検出領域と、上記赤外検出領域との組を４ｎ個以上備え、当該ｎは、自然数であり、上記組において、各特定色検出領域および上記赤外検出領域は、互いに面積が等しく、各組は、予め設定された受光中心点に対して点対称に配置されており、同一の特定色の光に感度を有する上記特定色検出領域は、互いに隣接せず、上記赤外検出領域は、互いに隣接しないことが好ましい。
【０１６０】
上記の構成によれば、組を形成する各検出領域の面積が等しいため、各検出領域が受光する光を均一化することができ、正確に色成分を検出することができる。
【０１６１】
また、各組が受光中心に対して対称に配置されることにより、センサに入射する光に対して、各特定色検出領域および赤外検出領域が受光する光量を均一にすることができる。また、各組において、同一の特定色の光に感度を有する特定色検出領域が互いに隣接せず、赤外検出領域も互いに隣接しないことから、各特定色検出領域および赤外検出領域が受光する光量をさらに均一にすることができる。
【０１６２】
さらに、センサを、センサに入射する光の入射角度に対して鈍感にすることが可能となり、当該入射角度に依存しないようにすることができる。
【０１６３】
なお、各特定色検出領域および赤外検出領域を合算した個数は少なくとも１６個以上となる。この個数は、各特定色検出領域および赤外検出領域が受光する光量を十分に均一化できる個数である。
【０１６４】
また、本発明の態様７に係るセンサでは、上記態様１〜６のいずれか１態様において、上記特定色検出領域および上記赤外検出領域は、受光に応じた電流信号を出力し、上記電流信号をデジタル信号にアナログ‐デジタル変換するアナログ‐デジタル変換回路と、各デジタル信号の大きさに比例するデジタル値を保存する記憶回路部とをさらに備えることが好ましい。
【０１６５】
上記の構成によれば、例えば、アナログ‐デジタル変換回路を積分型とし、積分時間を１０ｍｓｅｃ以上とすることで、一般的にＡＣ電源５０Ｈｚ／６０Ｈｚで駆動される光源のゆらぎ成分を平均化する事ができ、高精度な出力結果を得られる。
【０１６６】
また、一般的に、本発明に係るセンサが搭載される表示装置は、ＣＰＵを備えており、デジタル信号処理が可能である場合が多い。つまり、本発明に係るセンサを利用することにより、アナログ‐デジタル変換回路などで必要となるデジタル信号処理のための部品の数を削減することが可能となる。つまり、本発明に係るセンサは、表示装置へ搭載するセンサとして好適である。
【０１６７】
さらに、記憶回路により保存したデジタル値を、例えば、三刺激値や相関色温度などにデジタル処理により変換してさらに保存しておくことができる。なお、相関色温度は、色温度図を利用して変換されても良い。
【０１６８】
また、本発明の態様８に係るセンサでは、上記態様７において、上記記憶回路部は、各デジタル値および補正マトリックスから三刺激値を演算する三刺激値演算手段と、上記補正マトリックスを保存するメモリとを備えることが好ましい。
【０１６９】
上記の構成によれば、メモリは、保存されている補正マトリックスを三刺激値演算手段に提供する。そして、三刺激値演算手段は、各デジタル値から得られるベクトルと、当該補正マトリックスとを乗算することにより、三刺激値のベクトルを得ることができる。
【０１７０】
また、本発明の態様９に係るセンサでは、上記態様８において、上記記憶回路部は、上記三刺激値から色温度を演算する色温度演算手段と、上記三刺激値から照度を演算する照度演算手段と、上記三刺激値、上記色温度、または上記照度を選択し外部に送信する出力選択手段とをさらに備えることが好ましい。
【０１７１】
上記の構成によれば、色温度演算手段は、三刺激値演算手段から得た三刺激値から色温度を演算できる。また、照度演算手段は、当該三刺激値から照度を演算できる。そして、出力選択手段は、三刺激値、色温度、または照度を選択し外部に送信することができる。ここで、三刺激値演算手段で、上記補正マトリックスとして単位行列に類する行列を利用することにより、三刺激値として各色（Ｒ、Ｇ、およびＢ）のデジタル値を、そのまま出力選択手段に送信することができる。よって、出力選択手段は、各色のデジタル値、三刺激値、色温度、および照度を外部出力回路部に送信することができる。
【０１７２】
また、本発明の態様１０に係るセンサでは、上記態様８または９において、上記メモリは、基準時に取得した基準標本に対するデジタル値である基準値をさらに保存しており、上記三刺激値演算手段は、上記基準値と、基準時より後に取得した基準標本に対するデジタル値とを比較して自己診断することが好ましい。
【０１７３】
センサの構成要素の劣化にともない、同じセンシング対象に対しても、記憶回路部に入力されるデジタル値は変化する。
【０１７４】
上記の構成によれば、基準時において、センサにより基準標本をセンシングしたときに得られるデジタル値（基準値）が、メモリに保存されている。そして、当該基準値と、基準時から時間が経過した時において、センサにより基準標本をセンシングしたときに得られるデジタル値とを比較することにより、センサの構成要素の劣化にともなうデジタル値の変化を把握し、自己診断することができる。
【０１７５】
例えば、基準時を工場出荷時とすることにより、工場出荷後のセンサの構成要素の劣化度合いを把握し、自己診断することができる。また、例えば、基準値とある時のデジタル値とを比較して、所定の判定基準を超えたとき、修理が必要であることを自己診断により判定することができる。
【０１７６】
また、本発明の態様１１に係るセンサでは、上記態様７において、上記アナログ‐デジタル変換回路は、上記電流信号に応じた電荷を蓄える積分コンデンサを備え、当該積分コンデンサが蓄える電荷量に対応する電圧を出力する積分回路と、上記積分回路の出力電圧と基準電圧との互いの高低を比較して、その比較結果を２値のパルス信号として出力する比較回路と、当該パルス信号をクロック信号に同期して取り込んでビットストリーム信号を出力するフリップフロップ、および、当該ビットストリーム信号のアクティブパルスを計数するカウンタを備え、当該カウンタによる計数結果を上記アナログ‐デジタル変換回路の出力値として出力する出力回路と、上記ビットストリーム信号のアクティブパルス期間に電流を出力して上記積分コンデンサを放電させる放電回路とを備える積分型アナログ‐デジタル変換回路であることが好ましい。
【０１７７】
上記の構成によれば、アクティブパルス期間の合計した長さが、電流信号の大きさに応じたものとなる。そして、出力回路の出力パルス電流が積分回路で積分される（すなわち平均化される）ことで、簡単な構成で正確にアナログ‐デジタル変換した信号が得られる。
【０１７８】
また、本発明の態様１２に係るセンサでは、上記態様５において、上記可視光受光素子および上記赤外光受光素子には、バイアス電圧が印加されないことが好ましい。
【０１７９】
上記の構成によれば、可視光受光素子および赤外光受光素子の暗電流を抑制することが可能になり、低感度での測定を正確に行うことができる。
【０１８０】
また、本発明の態様１３に係る表示装置では、画面を表示する表示パネルと、上記表示パネルを照射するバックライトと、上記バックライトを制御するバックライト制御部と、上記センサとを備え、上記バックライト制御部は、上記態様１〜１２のいずれか１態様におけるセンサから出力される信号に基づいて、上記バックライトの色彩を制御することを特徴としている。
【０１８１】
上記の構成によれば、表示装置は、周囲光の色成分を正確に検出できるセンサを備えているので、目の色順応に対応するように表示パネルの画面の色味を正確に抑制することができる。
【０１８２】
また、本発明の態様１４に係る表示装置では上記センサは、上記態様１３において、上記特定色検出領域の出力信号および上記赤外検出領域の出力信号に基づいて照度情報を出力し、上記バックライト制御部は、上記照度情報に基づいて上記バックライトの輝度を制御することが好ましい。
【０１８３】
上記の構成によれば、表示装置は、周囲光の色成分（照度情報）を正確に検出できるセンサを備えているので、周囲光の照度に応じて、画面の明るさを正確に制御することができる。
【０１８４】
なお、制御プログラムにより、コンピュータを、上記態様８〜１０のいずれか１態様における記憶回路部が備える各手段として機能させることができる。さらに、当該制御プログラムを、コンピュータ読取り可能な記録媒体に記憶させることにより、汎用なコンピュータ上で上記制御プログラムを実行させることができる。
【０１８５】
〔制御プログラムと記録媒体〕
カラーセンサ１の記憶回路部１１の各ブロック、特に記憶回路制御部１１０は、ハードウェアロジックによって構成してもよいし、次のようにＣＰＵを用いてソフトウェアによって実現してもよい。
【０１８６】
すなわち、記憶回路部１１は、各機能を実現する制御プログラムの命令を実行するＣＰＵ、上記プログラムを格納したＲＯＭ、上記プログラムを展開するＲＡＭ、上記プログラムおよび各種データを格納するメモリーなどの記憶装置（記録媒体）などを備えている。そして、本発明の目的は、上述した機能を実現するソフトウェアである記憶回路部１１の制御プログラムのプログラムコード（実行形式プログラム、中間コードプログラム、ソースプログラム）をコンピュータで読み取り可能に記録した記録媒体を、記憶回路部１１に供給し、そのコンピュータ（またはＣＰＵやＭＰＵ）が記録媒体に記録されているプログラムコードを読み出し実行することによっても、達成可能である。
【０１８７】
上記記録媒体としては、例えば、磁気テープやカセットテープなどのテープ系、フロッピー（登録商標）ディスク／ハードディスクなどの磁気ディスクやＣＤ−ＲＯＭ／ＭＯ／ＭＤ／ＤＶＤ／ＣＤ−Ｒなどの光ディスクを含むディスク系、ＩＣカード（メモリーカードを含む）／光カードなどのカード系、あるいはマスクＲＯＭ／ＥＰＲＯＭ／ＥＥＰＲＯＭ（登録商標）／フラッシュＲＯＭなどの半導体メモリ系などを用いることができる。
【０１８８】
また、記憶回路部１１を通信ネットワークと接続可能に構成し、上記プログラムコードを、通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網などが利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線などの有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網などの無線でも利用可能である。
【０１８９】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１９０】
本発明に係るカラーセンサは、色度を精度よく検出することができるため、表示装置に好適に利用することができる。
【符号の説明】
【０１９１】
１  カラーセンサ（センサ）
２  表示装置
１１  記憶回路部
１２  外部出力回路部
１５  充電回路（積分回路）
１６  放電回路
１７  比較回路
１８  制御回路（出力回路）
２１  バックライト制御部
２２  バックライト
２５  表示パネル
１１０１  三刺激値演算部（三刺激値演算手段）
１１０３  色温度演算部（色温度演算手段）
１１０４  照度演算部（照度演算手段）
１１０５  出力選択部（出力選択手段）
１１１  メモリ
１１１２  工場出荷値（基準値）
ＡＤＣ  アナログ‐デジタル変換回路
Ｃ１  コンデンサ（積分コンデンサ）
ＣＦ（Ｒ）  赤色フィルタ（第１の特定色フィルタ）
ＣＦ（Ｇ）  緑色フィルタ（第１の特定色フィルタ）
ＣＦ（Ｂ）  青色フィルタ（第１の特定色フィルタ、第２の特定色フィルタ）
ＣＭＰ１  比較器
ＣＯＵＮＴ  カウンタ
Ｄ（Ｒ）  赤色検出領域（特定色検出領域）
Ｄ（Ｇ）  緑色検出領域（特定色検出領域）
Ｄ（Ｂ）  青色検出領域（特定色検出領域）
Ｄ（ＩＲ）  赤外検出領域（赤外検出領域）
ＦＦ  フリップフロップ
ＩＲＣｕｔＦ  赤外カットフィルタ
ＰＤＳ  受光素子部（第１の受光素子部、第２の受光素子部）
ＰＤｉｒ  フォトダイオード（赤外光受光素子）
ＰＤｖｉｓ  フォトダイオード（可視光受光素子）
Ｖｒｅｆ  基準電圧
Ｖｓｉｇ  出力電圧
ｃｈａｒｇｅ  ビットストリーム信号
ｃｏｍｐ  出力信号（パルス信号）
【図１】
2014041866.tif 000005
【図２】
2014041866.tif 000006
【図３】
2014041866.tif 000007
【図４】
2014041866.tif 000008
【図５】
2014041866.tif 000009
【図６】
2014041866.tif 000010
【図７】
2014041866.tif 000011
【図８】
2014041866.tif 000012
【図９】
2014041866.tif 000013
【図１０】
2014041866.tif 000014
【図１１】
2014041866.tif 000015
【図１２】
2014041866.tif 000016
【図１３】
2014041866.tif 000017
【手続補正書】
【提出日】平成28年1月7日(2016.1.7)
【手続補正１】
【補正対象書類名】特許請求の範囲
【補正対象項目名】全文
【補正方法】変更
【補正の内容】
【特許請求の範囲】
【請求項１】
可視光のうち特定色の光に感度を有する特定色検出領域と、
赤外光に感度を有する赤外検出領域とを備え、
上記特定色検出領域は、
第１の特定色の光を透過する第１の特定色フィルタと、
当該光から赤外成分をカットする赤外カットフィルタと、
上記第１の特定色フィルタおよび上記赤外カットフィルタを透過した光を受光する第１の受光素子部とを備え、
上記赤外検出領域は、
第２の特定色の光を透過する第２の特定色フィルタと、
上記赤外カットフィルタと、
上記第２の特定色フィルタおよび上記赤外カットフィルタを透過した光を受光する第２の受光素子部とを備え、
上記第２の受光素子部の出力信号に応じて上記第１の受光素子部の出力信号から赤外成分を減算し、
上記第２の特定色は、青色であることを特徴とするセンサ。
【請求項２】
上記第１の特定色は、赤色、緑色、または青色であることを特徴とする請求項１に記載のセンサ。
【請求項３】
外部から光が照射される方向に対して順に、上記特定色フィルタと、上記赤外カットフィルタと、上記受光素子部とが配されていることを特徴とする請求項１または２に記載のセンサ。
【請求項４】
各受光素子部は、
可視光領域に感度のピークを有する可視光受光素子と、
赤外光領域に感度のピークを有する赤外光受光素子とを備え、
上記第１の受光素子部では、上記可視光受光素子のカソードと上記赤外光受光素子のカソードとが接続されており、
上記第２の受光素子部では、上記可視光受光素子のカソードとアノードとが短絡されていることを特徴とする請求項１〜３のいずれか１項に記載のセンサ。
【請求項５】
特定色が互いに異なる３個の上記特定色検出領域と、上記赤外検出領域との組を４ｎ個以上備え、
当該ｎは、自然数であり、
上記組において、各特定色検出領域および上記赤外検出領域は、互いに面積が等しく、
各組は、予め設定された受光中心点に対して点対称に配置されており、
同一の特定色の光に感度を有する上記特定色検出領域は、互いに隣接せず、
上記赤外検出領域は、互いに隣接しないことを特徴とする請求項１〜４のいずれか１項に記載のセンサ。
【請求項６】
上記特定色検出領域および上記赤外検出領域は、受光に応じた電流信号を出力し、
上記電流信号をデジタル信号にアナログ‐デジタル変換するアナログ‐デジタル変換回路と、
各デジタル信号の大きさに比例するデジタル値を保存する記憶回路部とをさらに備えることを特徴とする請求項１〜５のいずれか１項に記載のセンサ。
【請求項７】
上記記憶回路部は、
各デジタル値および補正マトリックスから三刺激値を演算する三刺激値演算手段と、
上記補正マトリックスを保存するメモリとを備えることを特徴とする請求項６に記載のセンサ。
【請求項８】
上記記憶回路部は、
上記三刺激値から色温度を演算する色温度演算手段と、
上記三刺激値から照度を演算する照度演算手段と、
上記三刺激値、上記色温度、または上記照度を選択し外部に送信する出力選択手段とをさらに備えることを特徴とする請求項７に記載のセンサ。
【請求項９】
上記メモリは、基準時に取得した基準標本に対するデジタル値である基準値をさらに保存しており、
上記三刺激値演算手段は、
上記基準値と、基準時より後に取得した基準標本に対するデジタル値とを比較して自己診断することを特徴とする請求項７または８に記載のセンサ。
【請求項１０】
上記アナログ‐デジタル変換回路は、
上記電流信号に応じた電荷を蓄える積分コンデンサを備え、当該積分コンデンサが蓄える電荷量に対応する電圧を出力する積分回路と、
上記積分回路の出力電圧と基準電圧との互いの高低を比較して、その比較結果を２値のパルス信号として出力する比較回路と、
当該パルス信号をクロック信号に同期して取り込んでビットストリーム信号を出力するフリップフロップ、および、当該ビットストリーム信号のアクティブパルスを計数するカウンタを備え、当該カウンタによる計数結果を上記アナログ‐デジタル変換回路の出力値として出力する出力回路と、
上記ビットストリーム信号のアクティブパルス期間に電流を出力して上記積分コンデンサを放電させる放電回路とを備える積分型アナログ‐デジタル変換回路であることを特徴とする請求項６に記載のセンサ。
【請求項１１】
上記可視光受光素子および上記赤外光受光素子には、バイアス電圧が印加されないことを特徴とする請求項４に記載のセンサ。
【請求項１２】
画面を表示する表示パネルと、
上記表示パネルを照射するバックライトと、
上記バックライトを制御するバックライト制御部と、
請求項１〜１１のいずれか１項に記載のセンサとを備え、
上記バックライト制御部は、上記センサから出力される信号に基づいて、上記バックライトの色彩を制御することを特徴とする表示装置。
【請求項１３】
上記センサは、上記特定色検出領域の出力信号および上記赤外検出領域の出力信号に基づいて照度情報を出力し、
上記バックライト制御部は、上記照度情報に基づいて上記バックライトの輝度を制御することを特徴とする請求項１２に記載の表示装置。
【請求項１４】
コンピュータを請求項７〜９のいずれか１項に記載の記憶回路部が備える各手段として機能させるための制御プログラム。
【請求項１５】
請求項１４に記載の制御プログラムを記録したコンピュータ読み取り可能な記録媒体。
【手続補正２】
【補正対象書類名】明細書
【補正対象項目名】００２６
【補正方法】変更
【補正の内容】
【００２６】
上記課題を解決するために、本発明の一態様に係るセンサは、可視光のうち特定色の光に感度を有する特定色検出領域と、赤外光に感度を有する赤外検出領域とを備え、上記特定色検出領域は、第１の特定色の光を透過する第１の特定色フィルタと、当該光から赤外成分をカットする赤外カットフィルタと、上記第１の特定色フィルタおよび上記赤外カットフィルタを透過した光を受光する第１の受光素子部とを備え、上記赤外検出領域は、第２の特定色の光を透過する第２の特定色フィルタと、上記赤外カットフィルタと、上記第２の特定色フィルタおよび上記赤外カットフィルタを透過した光を受光する第２の受光素子部とを備え、上記第２の受光素子部の出力信号に応じて上記第１の受光素子部の出力信号から赤外成分を減算し、上記第２の特定色は、青色であることを特徴としている。
【国際調査報告】
2014041866.tif 000018
2014041866.tif 000019
2014041866.tif 000020
2014041866.tif 000021
2014041866.tif 000022
2014041866.tif 000023
2014041866.tif 000024
2014041866.tif 000025
2014041866.tif 000026